(57)【要約】      （修正有）【課題】充分な視認性を確保して瞬時に計測値を視認することができ、必要に応じて詳細な計測値を提供することができるようにする。【解決手段】車両情報の計測値を取得する車両情報取得部５と、車両情報取得部５で取得した車両情報の計測値を表示する表示部６と、表示部６の表示を制御する制御部７とを備える。制御部７は、計測値に続いて当該計測値の単位を表示して、車両情報の計測値を表示部６で表示し、車両情報の計測値が警告設定値になると警告を通知し、車両情報の計測値を閾値により判定して、車両情報の計測値が警告設定値に接近すると、計測値に続く単位の表示に代えて、計測値の下位側の数値を表示することにより、表示部６で表示する車両情報の計測値の桁数を下位側に増大させる。【選択図】図１
2020118578.tif 000002
【特許請求の範囲】
【請求項１】
車両情報の計測値を取得する車両情報取得部と、
前記車両情報取得部で取得した前記車両情報の計測値を表示する表示部と、
前記表示部の表示を制御する制御部とを備え、
前記制御部は、
前記計測値に続いて当該計測値の単位を表示して、前記車両情報の計測値を前記表示部で表示し、
前記車両情報の計測値が警告設定値になると警告を通知し、
前記車両情報の計測値を閾値により判定して、前記車両情報の計測値が前記警告設定値に接近すると、前記計測値に続く前記単位の表示に代えて、前記計測値の下位側の数値を表示することにより、前記表示部で表示する前記車両情報の計測値の桁数を下位側に増大させる
車両情報表示装置。
【請求項２】
前記制御部は、
前記表示部に計測値表示部及び単位表示部を設定し、
前記計測値表示部及び前記単位表示部でそれぞれ前記計測値及び前記単位を表示し、
前記計測値表示部より前記単位表示部を小面積により形成した
請求項１に記載の車両情報表示装置。
【請求項３】
車両情報の計測値を表示する車両情報表示装置の表示方法において、
前記計測値に続いて当該計測値の単位を表示して、前記車両情報の計測値を表示し、
前記車両情報の計測値が警告設定値になると警告を通知し、
前記車両情報の計測値を閾値により判定して、前記車両情報の計測値が前記警告設定値に接近すると、前記計測値に続く前記単位の表示に代えて、前記計測値の下位側の数値を表示することにより、前記表示部で表示する前記車両情報の計測値の桁数を下位側に増大させる
車両情報表示装置の表示方法。
【請求項４】
演算処理回路における実行により所定の処理手順を実行させる車両情報表示装置の制御プログラムにおいて、
前記車両情報表示装置は、
車両情報の計測値に続いて当該計測値の単位を表示して、前記車両情報の計測値を表示し、
前記処理手順は、
前記車両情報の計測値が警告設定値になると警告を通知する警告ステップと、
前記車両情報の計測値を閾値により判定して、前記車両情報の計測値が前記警告設定値に接近すると、前記計測値に続く前記単位の表示に代えて、前記計測値の下位側の数値を表示することにより、前記表示部で表示する前記車両情報の計測値の桁数を下位側に増大させる表示桁数増大ステップとを備える
車両情報表示装置の制御プログラム。
【発明の詳細な説明】
【技術分野】
【０００１】
本発明は、車両情報表示装置、車両情報表示装置の表示方法、車両情報表示装置の制御プログラムに関し、例えば後発的に車両に取り付けて油温、水温等の計測値を表示する構成に適用することができる。
【背景技術】
【０００２】
従来、車両では、メーターパネルにより車速等の車両情報を表示しているものの、より詳細な車両情報をモニタできるように、後発的に車両に取り付けて油温、水温等の計測値を表示する車両情報表示装置が提供されている。
このような車両情報表示装置に関して、特許文献１には、車両情報の通知に係る工夫が提案されている。
【先行技術文献】
【特許文献】
【０００３】
【特許文献１】特開２００４−３５９１２７号公報
【発明の概要】
【発明が解決しようとする課題】
【０００４】
このような車両情報表示装置では、充分な視認性を確保して瞬時に計測値を視認できることが求められる。また詳細な計測値が求められる場合もある。しかしながら充分な視認性を確保して瞬時に計測値を視認できるようにすると、詳細な計測値を提供することが難しくなる。
【０００５】
本発明は以上の点を考慮してなされたものであり、充分な視認性を確保して瞬時に計測値を視認することができ、必要に応じて詳細な計測値を提供することができる車両情報表示装置、車両情報表示装置の表示方法、車両情報表示装置の制御プログラムを提案することを目的とする。
【課題を解決するための手段】
【０００６】
係る課題を解決するため、請求項１の発明は、
車両情報の計測値を取得する車両情報取得部と、
前記車両情報取得部で取得した前記車両情報の計測値を表示する表示部と、
前記表示部の表示を制御する制御部とを備え、
前記制御部は、
前記計測値に続いて当該計測値の単位を表示して、前記車両情報の計測値を前記表示部で表示し、
前記車両情報の計測値が警告設定値になると警告を通知し、
前記車両情報の計測値を閾値により判定して、前記車両情報の計測値が前記警告設定値に接近すると、前記計測値に続く前記単位の表示に代えて、前記計測値の下位側の数値を表示することにより、前記表示部で表示する前記車両情報の計測値の桁数を下位側に増大させる。
【０００７】
請求項１の構成によれば、車両情報の計測値が警告設定値に接近すると、表示部で表示する車両情報の計測値の桁数を下位側に増大させることにより、充分な視認性を確保して瞬時に視認できるように計測値を表示するようにして、必要に応じて表示の桁数を増大して高い分解能により詳細な計測値を提供することができる。また計測値に続く単位の表示に代えて、計測値の下位側の数値を表示することにより、各桁の表示の大きさを変化させないようにして、表示の桁数を増大させることができる。
【０００８】
また請求項２の発明は、請求項１の構成において、
前記制御部は、
前記表示部に計測値表示部及び単位表示部を設定し、
前記計測値表示部及び前記単位表示部でそれぞれ前記計測値及び前記単位を表示し、
前記計測値表示部より前記単位表示部を小面積により形成した。
【０００９】
請求項２の構成によれば、より具体的構成により、充分な視認性を確保して瞬時に計測値を視認することができ、必要に応じて詳細な計測値を提供することができる
【００１０】
請求項３の発明は、車両情報の計測値を表示する車両情報表示装置の表示方法において、
前記計測値に続いて当該計測値の単位を表示して、前記車両情報の計測値を表示し、
前記車両情報の計測値が警告設定値になると警告を通知し、
前記車両情報の計測値を閾値により判定して、前記車両情報の計測値が前記警告設定値に接近すると、前記計測値に続く前記単位の表示に代えて、前記計測値の下位側の数値を表示することにより、前記表示部で表示する前記車両情報の計測値の桁数を下位側に増大させる。
【００１１】
請求項３の構成によれば、車両情報の計測値が警告設定値に接近すると、表示部で表示する車両情報の計測値の桁数を下位側に増大させることにより、充分な視認性を確保して瞬時に視認できるように計測値を表示するようにして、必要に応じて表示の桁数を増大して高い分解能により詳細な計測値を提供することができる。また計測値に続く単位の表示に代えて、計測値の下位側の数値を表示することにより、各桁の表示の大きさを変化させないようにして、表示の桁数を増大させることができる。
【００１２】
請求項４の発明は、演算処理回路における実行により所定の処理手順を実行させる車両情報表示装置の制御プログラムにおいて、
前記車両情報表示装置は、
車両情報の計測値に続いて当該計測値の単位を表示して、前記車両情報の計測値を表示し、
前記処理手順は、
前記車両情報の計測値が警告設定値になると警告を通知する警告ステップと、
前記車両情報の計測値を閾値により判定して、前記車両情報の計測値が前記警告設定値に接近すると、前記計測値に続く前記単位の表示に代えて、前記計測値の下位側の数値を表示することにより、前記表示部で表示する前記車両情報の計測値の桁数を下位側に増大させる表示桁数増大ステップとを備える。
【００１３】
請求項４の構成によれば、車両情報の計測値が警告設定値に接近すると、表示部で表示する車両情報の計測値の桁数を下位側に増大させることにより、充分な視認性を確保して瞬時に視認できるように計測値を表示するようにして、必要に応じて表示の桁数を増大して高い分解能により詳細な計測値を提供することができる。また計測値に続く単位の表示に代えて、計測値の下位側の数値を表示することにより、各桁の表示の大きさを変化させないようにして、表示の桁数を増大させることができる。
【発明の効果】
【００１４】
本発明によれば、充分な視認性を確保して瞬時に計測値を視認することができ、必要に応じて詳細な計測値を提供することができる。
【図面の簡単な説明】
【００１５】
【図１】本発明の実施形態に係る車両情報表示装置を示すブロック図である。
【図２】図１の車両情報表示装置における表示部の説明に供する平面図である。
【図３】図２の説明に供する図である。
【図４】桁数の増大の説明に供する図である。
【図５】図１の車両情報表示装置における処理手順を示すフローチャートである。
【発明を実施するための形態】
【００１６】
〔第１実施形態〕
図１は、本発明の第１実施形態に係る車両情報表示装置１を示すブロック図である。
この車両情報表示装置１は、後発的に車両１０に取り付けて、車両情報を表示する。
車両情報表示装置１では、車両１０に既に設けられているセンサによっては、計測困難な車両情報についても、対応するセンサを車両１０に配置して、このセンサにより車両情報を取得して表示可能に構成される。この図１において、センサ群１０Ａは、このようにして後発的に車両１０に設けられた複数のセンサである。なおこのセンサは、例えば油圧計測用センサ、油温用計測用センサ等である。
【００１７】
車両情報表示装置１は、制御コントローラ２、車両診断コネクタ３、表示ユニット４を備える。また表示ユニット４は、車両情報取得部５、表示部６、制御部７を備える。
ここで制御コントローラ２は、車両１０のセンサ群１０Ａに係る各センサを駆動して、対応する車両情報の計測値を取得し、この計測値を表示ユニット４に出力する。
車両診断コネクタ３は、車両１０に設けられた車両診断等に利用するコネクタを利用して、車両１０から車両情報の計測値を取得し、この計測値を表示ユニット４に出力する。なおこの計測値は、例えば車速、水温等の計測値である。
【００１８】
表示ユニット４は、これら制御コントローラ２、車両診断コネクタ３から取得される車両情報を表示する。
すなわち表示ユニット４において、車両情報取得部５は、制御コントローラ２、車両診断コネクタ３から車両情報の計測値を取得する。
表示部６は、この車両情報取得部５で取得される車両情報の計測値を、表示部６の制御により表示する。ここで表示部６は、この種の車両情報表示装置に適用される各種の構成を広く適用することができ、例えば液晶表示パネル、有機ＥＬによる画像表示パネル等を適用することができる。またドライバーの携帯する携帯情報端末（例えばスマートフォン、ウエアラブル端末等）を適用するようにしてもよい。
【００１９】
制御部７は、表示部６の表示を制御し、さらにはこの車両情報表示装置１の動作を制御するコントローラである。
制御部７は、演算処理回路を備え、この演算処理回路によりこの車両情報表示装置の制御プログラムを実行することにより、所定の処理手順を実行して車両情報表示装置１の動作を制御する。
【００２０】
ここで図２（Ａ）は、この制御部７の制御による表示部６の表示を示す平面図である。
制御部７は、事前に、図示しない操作子の操作により表示部６の画像表示領域６Ａに、表示可能な車両情報の一覧を表示し、この一覧表示におけるドライバーの選択により表示に供する車両情報の選択を受け付ける。
制御部７は、表示部６の画像表示領域６Ａを分割して、それぞれ小領域ＡＲ１〜ＡＲ６を形成し、各小領域ＡＲ１〜ＡＲ６でそれぞれドライバーにより選択された車両情報を表示する。
この図２の例では、水平方向及び垂直方向にそれぞれ画像表示領域６Ａを２分割及び３分割して、６つの小領域ＡＲ１〜ＡＲ６が形成されている。また第１の小領域ＡＲ１には、現在時刻が表示され、第２の小領域ＡＲ２には、車速が表示される。また第３の小領域ＡＲ３には、油温が表示され、第４の小領域ＡＲ４には、水温が表示される。また第５の小領域ＡＲ５には、油圧が表示され、第６の小領域ＡＲ６には、排気温度が表示される。
【００２１】
また図２（Ｂ）に１つの小領域ＡＲ３を部分的に拡大して示すように、各小領域ＡＲ１〜ＡＲ６には、車両情報の種類を表示する車両情報名表示部ＡＮが、上方に、帯状に設けられ、下方の左側領域に、車両情報の計測値を表示する計測値表示部ＡＫが設けられ、計測値表示部ＡＫの下位桁側（右側）に、計測値表示部ＡＫに隣接して、計測値表示部ＡＫで表示する計測値の単位を表示する単位表示部ＡＴが設けられる。
【００２２】
これによりこの図２の例では、第１の小領域ＡＲ１には、車両情報名表示部ＡＮに、「ＣＬＯＣＫ」の文字が表示され、計測値表示部ＡＫには、現在時刻「１０：２４」が表示され、単位表示部ＡＴへの単位の表示は中止されている。
また第２の小領域ＡＲ２には、車両情報名表示部ＡＮに、車速を示す「ＳＰＥＥＤ」の文字が表示され、計測値表示部ＡＫには、車速の計測値「１０３」が表示され、単位表示部ＡＴにはこの車速計測値の単位「ｋｍ/ｈ」が表示されている。
また第３の小領域ＡＲ３には、車両情報名表示部ＡＮに、油温を示す「ＯＩＬ  Ｔ.」の文字が表示され、計測値表示部ＡＫには、油温の計測値「９６」が表示され、単位表示部ＡＴにはこの油温計測値の単位「℃」が表示されている。
また第４の小領域ＡＲ４には、車両情報名表示部ＡＮに、水温を示す「ＷＡＴＥＲ  Ｔ.」の文字が表示され、計測値表示部ＡＫには、水温の計測値「８６」が表示され、単位表示部ＡＴにはこの水温計測値の単位「℃」が表示されている。
また第５の小領域ＡＲ５には、車両情報名表示部ＡＮに、油圧を示す「ＯＩＬ  Ｐ.」の文字が表示され、計測値表示部ＡＫには、油圧の計測値「４．５」が表示され、単位表示部ＡＴにはこの油圧計測値の単位「×１００ｋＰａ」が表示されている。
また第６の小領域ＡＲ６には、車両情報名表示部ＡＮに、排気温度を示す「ＥＸＴ.  Ｔ.」の文字が表示され、計測値表示部ＡＫには、排気温度の計測値「３７８」が表示され、単位表示部ＡＴにはこの排気温度計測値の単位「℃」が表示されている。
【００２３】
また各小領域ＡＲ１〜ＡＲ６においては、計測値表示部ＡＫより単位表示部ＡＴが小面積により形成され、これにより充分な視認性を確保して瞬時に視認できるように計測値を表示する。
【００２４】
制御部７は、ドライバーの設定により、このようにして表示する車両情報毎に、警告設定値を設定できるように構成され、対応する車両情報の計測値がこの警告設定値になると、ドライバーに警告を通知する。この実施形態では、この警告の通知が対応する車両情報の反転表示により実行され、これにより車両情報表示装置では、目視により対応する車両情報を確認できるように構成される。
具体的に、図２との対比により図３（Ａ）及び（Ｂ）に示すように、例えば油温の警告設定値を９７℃に設定した場合、この警告設定値に油温が上昇するまで、この例では黒色の背景に白色により計測値等を表示し（図３（Ａ））、警告設定値に油温が上昇すると、背景を白色に切り替えると共に、計測値等の表示を黒色に切り替える（図３（Ｂ））。
【００２５】
しかしながらこのように警告を通知する車両情報にあっては、警告を通知する直前の、警告設定値に計測値が接近している場合に、計測値をより詳細に確認できることが望まれる。
この場合、計測値の表示桁数を増大させて、この図３（Ｂ）の例では、小数点以下の桁まで計測値を表示すれば、高い分解能により詳細に計測値を確認することができる。しかしながらこのようにすると、計測値の各桁を表示する領域が低下し、充分な視認性を確保して瞬時に計測値を視認することが困難になる。
【００２６】
そこでこの実施形態では、車両情報の計測値を閾値により判定して、この計測値が警告設定値に接近すると、表示部６で表示する計測値の桁数を下位側に増大させる。
これにより充分な視認性を確保して瞬時に計測値を視認することができるようにして、高い分解能により詳細に計測値を確認することができるようにする。
またさらに、計測値に続く単位表示部ＡＴにおける単位の表示に代えて、計測値の下位側の数値を表示することにより、このように計測値の桁数を下位側に増大し、これにより表示桁数の増大による各桁の表示の大きさを変化させないようにし、視認性の低下を低減する。
【００２７】
なおこの計測値の警告設定値への接近判定に供する閾値は、警告設定値を基準にして、対応する車両情報に応じて自動的に設定するようにしてもよく、さらにはドライバーにより設定を受け付けるようにしてもよい。
【００２８】
図４は、図３との対比により、車両情報表示装置１における表示の説明に供する図である。
制御部７は、黒色の背景に白色により計測値等を表示するようにして（図４（Ａ）），計測値が警告設定値に接近して、警告設定値への接近判定に供する閾値を超えると、図４（Ｂ）に示すように、単位表示部ＡＴにおける単位の表示を中止し、計測値の桁数を下位側に増大させる。これによりこの図４の例では「９６℃」の表示を「９６．８」として計測値を表示する。
【００２９】
このようにして計測値の桁数を増大させて、さらに計測値が警告設定値になると、図４（Ｃ）に示すように、背景と、計測値等の表示色を切り替え、これにより反転表示によりドライバーに警告を通知する。
【００３０】
図５は、この制御部７の車両情報の表示に係る処理手順を示すフローチャートである。
制御部７は、一定の時間間隔によりこの処理手順を繰り返し実行する。
制御部７は、この処理手順を開始すると、車両情報取得部５により表示に供する車両情報の計測値を取得し（ＳＰ１−ＳＰ２）、この計測値を判定する（ＳＰ３）。
ここで計測値が表示桁数の増大に係る閾値を超えていない場合、制御部７は、通常の表示（図４（Ａ））により車両情報を表示してこの処理手順を終了する（ＳＰ４−ＳＰ５）。
【００３１】
これに対して計測値が警告設定値に接近して警告設定値への接近判定に供する閾値を超えると、単位の表示を中止して計測値の桁数を下位側に増大させて計測値を表示した後、この処理手順を終了する（ＳＰ３−ＳＰ６−ＳＰ５）。
これに対してこのようにして桁数を増大して計測値を表示して、さらに計測値が警告設定値に接近して警告設定値になると、反転表示により警告を通知するようにしてこの処理手順を終了する（ＳＰ３−ＳＰ７−ＳＰ５）。
【００３２】
以上の構成によれば、車両情報の計測値が警告設定値に接近すると、表示部で表示する車両情報の計測値の桁数を下位側に増大させることにより、充分な視認性を確保して瞬時に視認できるように計測値を表示するようにして、必要に応じて表示の桁数を増大して高い分解能により詳細な計測値を提供することができる。
また計測値に続く単位の表示に代えて、計測値の下位側の数値を表示することにより、各桁の表示の大きさを変化させないようにして、表示の桁数を増大させることができる。これにより桁数の増大による視認性の低下を防止することができる。
【００３３】
また計測値表示部より単位表示部を小面積により形成することにより、より具体的構成により、充分な視認性を確保して瞬時に視認できるように計測値を表示するようにして、必要に応じて表示の桁数を増大して高い分解能により詳細な計測値を提供することができる。
【００３４】
〔他の実施形態〕
以上、本発明の実施に好適な具体的な構成を詳述したが、本発明は、本発明の趣旨を逸脱しない範囲で、上述の実施形態の構成を種々に変更することができる。
【００３５】
すなわち上述の実施形態では、油温の車両情報において、油温の上昇により表示桁数を増大させ、警告を通知する場合について述べたが、本発明はこれに限らず、車両情報によっては、計測値の低下（例えば油圧や燃圧の低下）により表示桁数を増大させ、警告を通知するようにしてもよい。
また１つの車両情報の計測値に対して、上限側及び下限側の双方で、それぞれ表示桁数を増大させ、警告を通知するようにしてもよい。
【００３６】
また上述の実施形態では、後発的に車両に取り付けて使用する車両情報表示装置に本発明を適用する場合について述べたが、本発明はこれに限らず、メーターパネルで車両情報を表示する場合のように、車両に元々取り付けられている車両情報表示装置に本発明を適用するようにしてもよい。
【符号の説明】
【００３７】
１  車両情報表示装置
２  制御コントローラ
３  車両診断コネクタ
４  表示ユニット
５  車両情報取得部
６  表示部
７  制御部
１０  表示部
【図１】
2020118578.tif 000003
【図２】
2020118578.tif 000004
【図３】
2020118578.tif 000005
【図４】
2020118578.tif 000006
【図５】
2020118578.tif 000007